(57)【要約】【課題】外部接続された機器において行われた操作を認識することが可能なオーディオ信号送信装置、オーディオ信号受信装置、オーディオ信号再生システム、オーディオ信号再生方法およびプログラムを提供する。【解決手段】本発明にかかるオーディオ信号送信装置は、当該オーディオ信号送信装置に接続可能な外部接続機器の有無及び稼動状態を確認する外部機器稼働状況確認部と、外部接続機器の稼働状態に基づいて、外部接続機器とオーディオ信号送信装置との接続を制御する機器接続制御部と、複数のチャンネルそれぞれで送信しているオーディオ信号の種別を表すチャンネルマッピング情報を含む接続管理情報を、オーディオ信号送信装置に接続されている外部接続機器へと送信する接続管理情報送信部と、チャンネルマッピング情報に応じてオーディオ信号をオーディオ信号送信装置に接続されている外部接続機器へと送信するオーディオ信号送信部と、を備える。【選択図】図４
2009077361.tif 000002
【特許請求の範囲】
【請求項１】
オーディオ信号を複数のチャンネルを介して外部接続機器へと送信するオーディオ信号送信装置であって、
当該オーディオ信号送信装置に接続可能な前記外部接続機器の有無及び稼動状態を確認する外部機器稼働状況確認部と、
前記外部機器稼働状況確認部から出力される前記外部接続機器の稼働状態に基づいて、前記外部接続機器と前記オーディオ信号送信装置との接続を制御する機器接続制御部と、
前記複数のチャンネルそれぞれで送信している前記オーディオ信号の種別を表すチャンネルマッピング情報を含む接続管理情報を、前記オーディオ信号送信装置に接続されている前記外部接続機器へと送信する接続管理情報送信部と、
前記チャンネルマッピング情報に応じて前記オーディオ信号を前記オーディオ信号送信装置に接続されている外部接続機器へと送信するオーディオ信号送信部と、
を備えることを特徴とする、オーディオ信号送信装置。
【請求項２】
前記機器接続制御部は、前記外部接続機器の接続状況を管理する機器接続状況管理部を更に備え、
前記機器接続状況管理部は、前記外部機器稼働状況確認部から出力される前記外部機器の稼働状況に基づいて、前記外部接続機器の接続状況を管理する
ことを特徴とする、請求項１に記載のオーディオ信号送信装置。
【請求項３】
前記機器接続制御部は、
前記機器接続状況管理部から出力される前記外部接続機器の接続状態に基づいて、前記接続状態を反映した前記チャンネルマッピング情報を生成するチャンネルマッピング情報生成部を更に備える
ことを特徴とする、請求項２に記載のオーディオ信号送信装置。
【請求項４】
前記オーディオ信号送信装置は、
前記外部接続機器から送信された外部接続機器送信情報を受信する外部接続機器送信情報取得部を更に備え、
前記機器接続状況管理部は、
前記外部接続機器送信情報に基づいて、前記外部接続機器の接続状態を管理する
ことを特徴とする、請求項３に記載のオーディオ信号送信装置。
【請求項５】
前記オーディオ信号送信装置は、
当該オーディオ信号送信装置に設けられる外部機器接続端子を制御する外部機器接続端子制御部を更に備え、
前記機器接続状況管理部は、
前記外部機器接続端子の使用状況の変化に基づいて、前記外部接続機器の接続状態を管理する
ことを特徴とする、請求項３に記載のオーディオ信号送信装置。
【請求項６】
前記チャンネルマッピング情報生成部は、
接続されている前記外部接続機器に新たな外部接続機器が接続された場合に、新たな前記チャンネルマッピング情報を生成する
ことを特徴とする、請求項３に記載のオーディオ信号送信装置。
【請求項７】
前記チャンネルマッピング情報生成部は、
接続されている前記外部接続機器の種別が変更された場合に、新たな前記チャンネルマッピング情報を生成する
ことを特徴とする、請求項３に記載のオーディオ信号送信装置。
【請求項８】
前記チャンネルマッピング情報生成部は、
前記外部接続機器送信情報取得部が、前記外部接続機器が接続されている前記チャンネルで送信されている前記オーディオ信号の変更要求を取得した場合に、新たな前記チャンネルマッピング情報を生成する
ことを特徴とする、請求項３に記載のオーディオ信号送信装置。
【請求項９】
前記チャンネルマッピング情報生成部は、
前記外部接続機器送信情報取得部が、前記外部接続機器が接続されている前記チャンネルで送信されている前記オーディオ信号の音声種別変更要求を取得した場合に、新たな前記チャンネルマッピング情報を生成する
ことを特徴とする、請求項３に記載のオーディオ信号送信装置。
【請求項１０】
複数のチャンネルを介して外部接続機器より送信されたオーディオ信号を受信するオーディオ信号受信装置であって、
前記外部接続機器に対する前記オーディオ信号受信装置の接続状態を変更するための接続情報を前記外部接続機器に送信する接続情報送信部と、
前記複数のチャンネルそれぞれで送信されている前記オーディオ信号の種別を表すチャンネルマッピング情報を含む接続管理情報を前記外部接続機器から受信する、接続管理情報受信部と、
前記オーディオ信号を前記外部接続機器から受信するオーディオ信号受信部と、
を備え、
受信した前記チャンネルマッピング情報に基づいて、出力される前記オーディオ信号が選択される
ことを特徴とする、オーディオ信号受信装置。
【請求項１１】
前記オーディオ信号受信装置は、当該オーディオ信号受信装置に接続可能な他の外部接続機器との接続を制御する外部機器接続制御部を更に備え、
前記外部機器接続制御部は、前記他の外部接続機器が接続された場合に、前記接続情報送信部に対して前記接続情報の送信を要求する
ことを特徴とする、請求項１０に記載のオーディオ信号受信装置。
【請求項１２】
前記オーディオ信号受信装置は、
前記外部接続機器より送信されるオーディオ信号の変更を前記外部接続機器に対して通知する取得希望信号通知部を更に備える
ことを特徴とする、請求項１０に記載のオーディオ信号受信装置。
【請求項１３】
オーディオ信号を複数のチャンネルを介して外部接続機器へと送信するオーディオ信号送信装置と、前記オーディオ信号送信装置から送信された前記オーディオ信号を受信するオーディオ信号受信装置と、備えるオーディオ信号伝送システムであって、
前記オーディオ信号送信装置は、
当該オーディオ信号送信装置に接続可能な前記オーディオ信号受信装置を含む外部接続機器の有無及び稼動状態を確認する外部機器稼働状況確認部と、
前記外部機器稼働状況確認部から出力される前記外部接続機器の稼働状態に基づいて、前記外部接続機器と前記オーディオ信号送信装置との接続を制御する機器接続制御部と、
前記複数のチャンネルそれぞれで送信している前記オーディオ信号の種別を表すチャンネルマッピング情報を含む接続管理情報を、前記オーディオ信号送信装置に接続されている前記外部接続機器へと送信する接続管理情報送信部と、
前記チャンネルマッピング情報に応じて前記オーディオ信号を前記オーディオ信号送信装置に接続されている外部接続機器へと送信するオーディオ信号送信部と、
を備え、
前記オーディオ信号受信装置は、
前記オーディオ信号送信装置に対する前記オーディオ信号受信装置の接続状態を変更するための接続情報を前記オーディオ信号送信装置に送信する接続情報送信部と、
前記複数のチャンネルそれぞれで送信されている前記オーディオ信号の種別を表すチャンネルマッピング情報を含む接続管理情報を前記オーディオ信号送信装置から受信する、接続管理情報受信部と、
前記オーディオ信号を前記オーディオ信号送信装置から受信するオーディオ信号受信部と、
を備え、
前記オーディオ信号受信装置では、受信した前記チャンネルマッピング情報に基づいて、出力される前記オーディオ信号が選択される
ことを特徴とする、オーディオ信号伝送システム。
【請求項１４】
オーディオ信号を複数のチャンネルを介して外部接続機器へと送信するオーディオ信号送信装置と、前記オーディオ信号送信装置から送信された前記オーディオ信号を受信するオーディオ信号受信装置と、備えるオーディオ信号伝送システムでオーディオ信号を伝送するオーディオ信号伝送方法であって、
前記オーディオ信号送信装置に接続可能な前記オーディオ信号受信装置を含む外部接続機器の有無及び稼動状態を確認する外部機器稼働状況確認ステップと、
前記外部接続機器の稼働状態に基づいて、前記外部接続機器と前記オーディオ信号送信装置との接続を確立するステップと、
前記複数のチャンネルそれぞれで送信している前記オーディオ信号の種別を表すチャンネルマッピング情報を含む接続管理情報を、前記オーディオ信号送信装置に接続されている前記外部接続機器へと送信するステップと、
前記チャンネルマッピング情報に応じて前記オーディオ信号を前記オーディオ信号送信装置に接続されている外部接続機器へと送信するステップと、
前記オーディオ信号送信装置に対する前記外部接続機器の接続状態を変更するための接続情報が、前記外部接続機器から前記オーディオ信号送信装置へ送信された場合に、前記オーディオ信号送信装置が前記チャンネルマッピング情報を変更するステップと、
を含むことを特徴とする、オーディオ信号伝送方法。
【請求項１５】
コンピュータを、オーディオ信号を複数のチャンネルを介して外部接続機器へと送信するオーディオ信号送信装置として機能させるためのプログラムであって、
前記オーディオ信号送信装置に接続可能な前記外部接続機器の有無及び稼動状態を確認する外部機器稼働状況確認機能と、
前記外部接続機器の稼働状況に基づいて、前記外部接続機器と前記オーディオ信号送信装置との接続を制御する機器接続制御機能と、
前記複数のチャンネルそれぞれで送信している前記オーディオ信号の種別を表すチャンネルマッピング情報を前記オーディオ信号送信装置に接続されている前記外部接続機器へと送信するチャンネルマッピング情報送信機能と、
前記チャンネルマッピング情報に応じて前記オーディオ信号を前記オーディオ信号送信装置に接続されている外部接続機器へと送信するオーディオ信号送信機能と、
を実現させるためのプログラム。
【請求項１６】
コンピュータを、複数のチャンネルを介して外部接続機器より送信されたオーディオ信号を受信するオーディオ信号受信装置として機能させるためのプログラムであって、
前記外部接続機器に対する前記オーディオ信号受信装置の接続状態を変更するための接続情報を前記外部接続機器に送信する接続情報送信機能と、
前記複数のチャンネルそれぞれで送信されている前記オーディオ信号の種別を表すチャンネルマッピング情報を含む接続管理情報を前記外部接続機器から受信する接続管理情報受信機能と、
前記オーディオ信号を前記外部接続機器から受信するオーディオ信号受信機能と、
を実現させるためのプログラム。
【発明の詳細な説明】
【技術分野】
【０００１】
本発明は、オーディオ信号送信装置、オーディオ信号受信装置、オーディオ信号伝送システム、オーディオ信号伝送方法およびプログラムに関する。
【背景技術】
【０００２】
近年、ホームシアターシステム等の普及や情報伝送技術の発達に伴い、オーディオ信号を複数のチャンネルを用いて伝送する技術が盛んに用いられるようになった。かかるホームシアターシステムにおいては、オーディオ信号を送信する側の装置と、オーディオ信号を受信する側の装置とは、各種の接続コードを用いて接続されることが多い。
【０００３】
ここで、ホームシアターシステムを構成する複数のスピーカーのレイアウトの自由度を高めるために、送信側の装置と、受信側の装置であるスピーカーとを、接続コードを用いることなく、いわゆるワイヤレスで接続する試みがなされている。
【０００４】
かかるワイヤレス接続を実現するために、赤外線を用いてオーディオ信号を伝送する方法が開示されている（例えば、特許文献１参照）。
【０００５】
【特許文献１】特開２００７−２７９２８号公報
【発明の開示】
【発明が解決しようとする課題】
【０００６】
ところで、かかるホームシアターシステムにおいては、オーディオ信号を送信する側の装置は受信側の装置に対して行われた各種操作を認識できないため、ホームシアターシステムの利用者が当該システムに対して何か操作を行う場合には、オーディオ信号の送信側の装置に対して操作を行わなければならず、不便な点が多いという問題があった。
【０００７】
そこで、本発明は、このような問題に鑑みてなされたもので、その目的は、外部接続された機器において行われた操作を認識することが可能な、新規かつ改良されたオーディオ信号送信装置、オーディオ信号受信装置、オーディオ信号再生システム、オーディオ信号再生方法およびプログラムを提供することにある。
【課題を解決するための手段】
【０００８】
上記課題を解決するために、本発明のある観点によれば、オーディオ信号を複数のチャンネルを介して外部接続機器へと送信するオーディオ信号送信装置であって、当該オーディオ信号送信装置に接続可能な前記外部接続機器の有無及び稼動状態を確認する外部機器稼働状況確認部と、前記外部機器稼働状況確認部から出力される前記外部接続機器の稼働状態に基づいて、前記外部接続機器と前記オーディオ信号送信装置との接続を制御する機器接続制御部と、前記複数のチャンネルそれぞれで送信している前記オーディオ信号の種別を表すチャンネルマッピング情報を含む接続管理情報を、前記オーディオ信号送信装置に接続されている前記外部接続機器へと送信する接続管理情報送信部と、前記チャンネルマッピング情報に応じて前記オーディオ信号を前記オーディオ信号送信装置に接続されている外部接続機器へと送信するオーディオ信号送信部と、を備えるオーディオ信号送信装置が提供される。
【０００９】
前記機器接続制御部は、前記外部接続機器の接続状況を管理する機器接続状況管理部を更に備え、前記機器接続状況管理部は、前記外部機器稼働状況確認部から出力される前記外部機器の稼働状況に基づいて、前記外部接続機器の接続状況を管理してもよい。
【００１０】
前記機器接続制御部は、前記機器接続状況管理部から出力される前記外部接続機器の接続状態に基づいて、前記接続状態を反映した前記チャンネルマッピング情報を生成するチャンネルマッピング情報生成部を更に備えてもよい。
【００１１】
前記オーディオ信号送信装置は、前記外部接続機器から送信された外部接続機器送信情報を受信する外部接続機器送信情報取得部を更に備え、前記機器接続状況管理部は、前記外部接続機器送信情報に基づいて、前記外部接続機器の接続状態を管理してもよい。
【００１２】
前記オーディオ信号送信装置は、当該オーディオ信号送信装置に設けられる外部機器接続端子を制御する外部機器接続端子制御部を更に備え、前記機器接続状況管理部は、前記外部機器接続端子の使用状況の変化に基づいて、前記外部接続機器の接続状態を管理してもよい。
【００１３】
前記チャンネルマッピング情報生成部は、接続されている前記外部接続機器に新たな外部接続機器が接続された場合に、新たな前記チャンネルマッピング情報を生成してもよい。
【００１４】
前記チャンネルマッピング情報生成部は、接続されている前記外部接続機器の種別が変更された場合に、新たな前記チャンネルマッピング情報を生成してもよい。
【００１５】
前記チャンネルマッピング情報生成部は、前記外部接続機器送信情報取得部が、前記外部接続機器が接続されている前記チャンネルで送信されている前記オーディオ信号の変更要求を取得した場合に、新たな前記チャンネルマッピング情報を生成してもよい。
【００１６】
前記チャンネルマッピング情報生成部は、前記外部接続機器送信情報取得部が、前記外部接続機器が接続されている前記チャンネルで送信されている前記オーディオ信号の音声種別変更要求を取得した場合に、新たな前記チャンネルマッピング情報を生成してもよい。
【００１７】
上記課題を解決するために、本発明の別の観点によれば、複数のチャンネルを介して外部接続機器より送信されたオーディオ信号を受信するオーディオ信号受信装置であって、前記外部接続機器に対する前記オーディオ信号受信装置の接続状態を変更するための接続情報を前記外部接続機器に送信する接続情報送信部と、前記複数のチャンネルそれぞれで送信されている前記オーディオ信号の種別を表すチャンネルマッピング情報を含む接続管理情報を前記外部接続機器から受信する、接続管理情報受信部と、前記オーディオ信号を前記外部接続機器から受信するオーディオ信号受信部と、を備え、受信した前記チャンネルマッピング情報に基づいて、出力される前記オーディオ信号が選択されるオーディオ信号受信装置が提供される。
【００１８】
前記オーディオ信号受信装置は、当該オーディオ信号受信装置に接続可能な他の外部接続機器との接続を制御する外部機器接続制御部を更に備え、前記外部機器接続制御部は、前記他の外部接続機器が接続された場合に、前記接続情報送信部に対して前記接続情報の送信を要求してもよい。
【００１９】
前記オーディオ信号受信装置は、前記外部接続機器より送信されるオーディオ信号の変更を前記外部接続機器に対して通知する取得希望信号通知部を更に備えてもよい。
【００２０】
上記課題を解決するために、本発明の更に別の観点によれば、オーディオ信号を複数のチャンネルを介して外部接続機器へと送信するオーディオ信号送信装置と、前記オーディオ信号送信装置から送信された前記オーディオ信号を受信するオーディオ信号受信装置と、備えるオーディオ信号伝送システムであって、前記オーディオ信号送信装置は、当該オーディオ信号送信装置に接続可能な前記オーディオ信号受信装置を含む外部接続機器の有無及び稼動状態を確認する外部機器稼働状況確認部と、前記外部機器稼働状況確認部から出力される前記外部接続機器の稼働状態に基づいて、前記外部接続機器と前記オーディオ信号送信装置との接続を制御する機器接続制御部と、前記複数のチャンネルそれぞれで送信している前記オーディオ信号の種別を表すチャンネルマッピング情報を含む接続管理情報を、前記オーディオ信号送信装置に接続されている前記外部接続機器へと送信する接続管理情報送信部と、前記チャンネルマッピング情報に応じて前記オーディオ信号を前記オーディオ信号送信装置に接続されている外部接続機器へと送信するオーディオ信号送信部と、を備え、前記オーディオ信号受信装置は、前記オーディオ信号送信装置に対する前記オーディオ信号受信装置の接続状態を変更するための接続情報を前記オーディオ信号送信装置に送信する接続情報送信部と、前記複数のチャンネルそれぞれで送信されている前記オーディオ信号の種別を表すチャンネルマッピング情報を含む接続管理情報を前記オーディオ信号送信装置から受信する、接続管理情報受信部と、前記オーディオ信号を前記オーディオ信号送信装置から受信するオーディオ信号受信部と、を備え、前記オーディオ信号受信装置では、受信した前記チャンネルマッピング情報に基づいて、出力される前記オーディオ信号が選択されるオーディオ信号伝送システムが提供される。
【００２１】
上記課題を解決するために、本発明の更に別の観点によれば、オーディオ信号を複数のチャンネルを介して外部接続機器へと送信するオーディオ信号送信装置と、前記オーディオ信号送信装置から送信された前記オーディオ信号を受信するオーディオ信号受信装置と、備えるオーディオ信号伝送システムでオーディオ信号を伝送するオーディオ信号伝送方法であって、前記オーディオ信号送信装置に接続可能な前記オーディオ信号受信装置を含む外部接続機器の有無及び稼動状態を確認する外部機器稼働状況確認ステップと、前記外部接続機器の稼働状態に基づいて、前記外部接続機器と前記オーディオ信号送信装置との接続を確立するステップと、前記複数のチャンネルそれぞれで送信している前記オーディオ信号の種別を表すチャンネルマッピング情報を含む接続管理情報を、前記オーディオ信号送信装置に接続されている前記外部接続機器へと送信するステップと、前記チャンネルマッピング情報に応じて前記オーディオ信号を前記オーディオ信号送信装置に接続されている外部接続機器へと送信するステップと、前記オーディオ信号送信装置に対する前記外部接続機器の接続状態を変更するための接続情報が、前記外部接続機器から前記オーディオ信号送信装置へ送信された場合に、前記オーディオ信号送信装置が前記チャンネルマッピング情報を変更するステップと、を含むオーディオ信号伝送方法が提供される。
【００２２】
上記課題を解決するために、本発明の更に別の観点によれば、コンピュータを、オーディオ信号を複数のチャンネルを介して外部接続機器へと送信するオーディオ信号送信装置として機能させるためのプログラムであって、前記オーディオ信号送信装置に接続可能な前記外部接続機器の有無及び稼動状態を確認する外部機器稼働状況確認機能と、前記外部接続機器の稼働状況に基づいて、前記外部接続機器と前記オーディオ信号送信装置との接続を制御する機器接続制御機能と、前記複数のチャンネルそれぞれで送信している前記オーディオ信号の種別を表すチャンネルマッピング情報を前記オーディオ信号送信装置に接続されている前記外部接続機器へと送信するチャンネルマッピング情報送信機能と、前記チャンネルマッピング情報に応じて前記オーディオ信号を前記オーディオ信号送信装置に接続されている外部接続機器へと送信するオーディオ信号送信機能と、を実現させるためのプログラムが提供される。
【００２３】
かかる構成によれば、コンピュータプログラムは、コンピュータが備える記憶部に格納され、コンピュータが備えるＣＰＵに読み込まれて実行されることにより、そのコンピュータを上記のオーディオ信号送信装置として機能させる。また、コンピュータプログラムが記録された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００２４】
上記課題を解決するために、本発明の更に別の観点によれば、コンピュータを、複数のチャンネルを介して外部接続機器より送信されたオーディオ信号を受信するオーディオ信号受信装置として機能させるためのプログラムであって、前記外部接続機器に対する前記オーディオ信号受信装置の接続状態を変更するための接続情報を前記外部接続機器に送信する接続情報送信機能と、前記複数のチャンネルそれぞれで送信されている前記オーディオ信号の種別を表すチャンネルマッピング情報を含む接続管理情報を前記外部接続機器から受信する接続管理情報受信機能と、前記オーディオ信号を前記外部接続機器から受信するオーディオ信号受信機能と、を実現するためのプログラムが提供される。
【００２５】
かかる構成によれば、コンピュータプログラムは、コンピュータが備える記憶部に格納され、コンピュータが備えるＣＰＵに読み込まれて実行されることにより、そのコンピュータを上記のオーディオ信号受信装置として機能させる。また、コンピュータプログラムが記録された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【発明の効果】
【００２６】
本発明によれば、オーディオ信号送信装置は、オーディオ信号受信装置に対して、オーディオ信号の伝送とは別の双方向データ通信を行うため、オーディオ信号送信装置は、オーディオ信号受信装置において行われた操作を認識することが可能である。
【発明を実施するための最良の形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２８】
（第１の実施形態）
＜オーディオ信号伝送システム１について＞
まず、図１を参照しながら、本発明の第１の実施形態に係るオーディオ信号伝送システム１について、詳細に説明する。図１は、本実施形態に係るオーディオ信号伝送システム１を説明するための説明図である。
【００２９】
図１に示したように、本実施形態に係るオーディオ信号伝送システム１は、オーディオ信号送信装置１０と、オーディオ信号受信装置２０と、を備える。
【００３０】
オーディオ信号送信装置１０は、オーディオ信号受信装置２０に対して、オーディオ信号を無線伝送するとともに、オーディオ信号受信装置２０から送信される各種の情報を受信する。オーディオ信号送信装置１０は、無線伝送するオーディオ信号を、例えばＤＶＤプレーヤーやＢｌｕ−ｒａｙディスク（以下、ＢＤと略記する。）プレーヤー等のオーディオ信号出力装置１２から取得してもよく、オーディオ信号送信装置１０自体が、上記のオーディオ信号出力装置の機能を有していてもよい。オーディオ信号送信装置１０およびオーディオ信号受信装置２０は、オーディオ信号の送信や各種情報の双方向データ通信を、例えばラジオ波の帯域を用いて行う。そのため、オーディオ信号送信装置１０およびオーディオ信号受信装置２０は、図１に示したように、同一の部屋の中に配置されていてもよく、異なる部屋に分かれて配置されていてもよい。
【００３１】
オーディオ信号受信装置２０は、オーディオ信号送信装置１０が送信するオーディオ信号を受信するとともに、オーディオ信号送信装置１０に対して、オーディオ信号受信装置２０の接続に関する情報や、送信されるオーディオ信号の変更希望通知等の各種の情報を送信する。オーディオ信号受信装置２０は、図１のＲＯＯＭ１に示したように、オーディオ信号送信装置１０にワイヤレス接続されるサラウンドスピーカー群であってもよく、図１のＲＯＯＭ２に示したように、オーディオ信号送信装置１０から送信されたオーディオ信号を出力するオーディオコンポ等のようなオーディオ信号出力装置であってもよい。また、オーディオ信号受信装置２０は、例えばヘッドホンやイヤホンのようなオーディオ信号取得装置であってもよい。
【００３２】
本実施形態に係るオーディオ信号伝送システム１では、オーディオ信号送信装置１０は、所定の時間間隔で当該オーディオ信号送信装置１０に接続されているオーディオ信号受信装置２０の有無を確認し、オーディオ信号受信装置２０は、当該オーディオ信号受信装置２０にヘッドホン等の新たな外部接続機器が接続されるなどして、オーディオ信号の出力状況が変化した場合や、オーディオ信号受信装置２０に対してユーザが何らかの操作を実行した場合には、その旨を表す情報をオーディオ信号送信装置１０に対して送信する。そのため、オーディオ信号送信装置１０は、オーディオ信号受信装置２０において行われた各種の操作を自動的に認識することが可能となる。
【００３３】
＜オーディオ信号送信装置１０のハードウェア構成について＞
続いて、図２を参照しながら、本実施形態に係るオーディオ信号送信装置１０のハードウェア構成について、詳細に説明する。図２は、本実施形態に係るオーディオ信号送信装置１０のハードウェア構成を説明するためのブロック図である。
【００３４】
図２に示したように、本実施形態に係るオーディオ信号送信装置１０は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０３と、ＲＡＭ（Ｒａｎｄｏｍ  Ａｃｃｅｓｓ  Ｍｅｍｏｒｙ）１０５と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１０７と、入力インターフェース（Ｉ／Ｆ）１０９と、表示インターフェース（Ｉ／Ｆ）１１３と、外部機器通信部１２１と、を備える。
【００３５】
また、外部機器通信部１２１には、ＤＳＰ（Ｄｉｇｉｔａｌ  Ｓｉｇｎａｌ  Ｐｒｏｃｅｓｓｏｒ）１２３が接続される。
【００３６】
ＣＰＵ１０１は、演算処理装置および制御装置として機能し、ＲＯＭ１０３、ＲＡＭ１０５、ＥＥＰＲＯＭ１０７等に記録された各種プログラムに従って、オーディオ信号送信装置１０内の動作全般またはその一部を制御する。ＲＯＭ１０３およびＥＥＰＲＯＭ１０７は、ＣＰＵ１０１が使用するプログラムや演算パラメータ等を記憶する。ＲＡＭ１０５は、ＣＰＵ１０１の実行において使用するプログラムや、その実行において適宜変化するパラメータ等を一次記憶する。これらはＣＰＵバス等の内部バスにより構成されるホストバスおよびＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バスから構成されるシステムバス１１７により、相互に接続されている。
【００３７】
入力インターフェース１０９は、キー操作部１１１を用いてユーザにより入力された情報に基づいて入力信号を生成し、ＣＰＵ１０１に出力する入力制御回路などから構成されているインターフェースである。オーディオ信号送信装置１０のユーザは、以下で説明するキー操作部１１１を操作することにより、オーディオ信号送信装置１０に対して各種のデータを入力したり処理動作を指示したりすることができる。
【００３８】
キー操作部１１１は、オーディオ信号送信装置１０に対して各種のデータを入力したり処理動作を指示したりする操作部である。キー操作部１１１は、例えば、マウス、キーボード、タッチパネル、ボタン、スイッチおよびレバーなどユーザが操作する操作手段である。また、キー操作部１１１は、例えば、赤外線やその他の電波を利用したリモートコントロール手段（いわゆる、リモコン）であってもよいし、オーディオ信号送信装置１０の操作に対応した携帯電話やＰＤＡ等の外部接続機器であってもよい。
【００３９】
表示インターフェース１１３は、ＣＰＵ１０１から出力された出力信号を、後述する表示部１１５へと伝送するためのインターフェースである。表示部１１５は、例えば、ＣＲＴディスプレイ装置、液晶ディスプレイ装置、プラズマディスプレイ装置、ＥＬディスプレイ装置およびランプなどの表示装置など、各種情報をユーザに対して視覚的に通知することが可能な装置で構成される。
【００４０】
外部機器通信部１２１は、例えば、オーディオ信号受信装置２０や、各種のオーディオ信号出力装置等と通信するための通信デバイス等で構成された通信インターフェースである。この外部機器通信部１２１は、一般的なワイヤレスオーディオ伝送規格に則ったインターフェースであってもよく、特定のワイヤレスオーディオ伝送規格に則ったインターフェースであってもよい。本実施形態に係るオーディオ信号送信装置１０は、この外部機器通信部１２１を介して、オーディオ信号受信装置２０に対してオーディオ信号を送信するとともに、オーディオ信号受信装置２０と双方向データ通信を行う。
【００４１】
ＤＳＰ１２３は、オーディオ信号や画像信号に対する各種処理に特化したＣＰＵである。このＤＳＰ１２３には、送信に用いられるオーディオ信号が入力されるオーディオ信号入力部１２５と、取得したオーディオ信号が出力されるオーディオ信号出力部１３７とが接続される。
【００４２】
オーディオ信号入力部１２５は、本実施形態に係るオーディオ信号送信装置１０が送信に用いるオーディオ信号が入力される処理部である。オーディオ信号入力部１２５は、例えば、ＣＤ／ＤＶＤ／ＢＤ１２７や、ＭＤ（Ｍｉｎｉ  Ｄｉｓｋ）等のデジタル機器が接続されるデジタル入力１２９や、チューナー（ＴＵＮＥＲ）１３１や、カセットテープやレコード等のアナログ機器が接続されるアナログ入力１３３等から構成される。また、チューナー１３１およびアナログ入力１３３から入力されたオーディオ信号は、ＡＤ変換部１３５によりアナログ信号からデジタル信号へと変換される。かかるオーディオ信号入力部１２５より入力されたオーディオ信号が、ＤＳＰ１２３および外部機器通信部１２１を介してオーディオ信号受信装置２０へと送信される。
【００４３】
オーディオ信号出力部１３７は、オーディオ信号入力部１２５から入力されたオーディオ信号を、オーディオ信号送信装置１０の外部に出力する処理部である。オーディオ信号出力部１３７は、例えば、デジタル信号であるオーディオ信号をアナログ信号へと変換するＤＡ変換部（図示せず。）と、アナログ信号に変換されたオーディオ信号を増幅する増幅部（図示せず。）と、増幅されたオーディオ信号が出力されるスピーカー（図示せず。）等から構成される。
【００４４】
また、本実施形態に係るオーディオ信号送信装置１０は、上記構成の他に、例えば、ストレージ装置（図示せず。）や、ドライブ（図示せず。）等を備えていてもよい。
【００４５】
ストレージ装置は、本実施形態にかかるオーディオ信号送信装置１０の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置は、ＣＰＵ１０１が実行するプログラムや各種データ、および外部から取得したオーディオ信号などを格納することが可能である。
【００４６】
ドライブは、記憶媒体用リーダライタであり、オーディオ信号送信装置１０に内蔵、あるいは外付けされる。ドライブは、装着されている磁気ディスク、光ディスク、光磁気ディスク、または半導体メモリ等のリムーバブル記録媒体に記録されている情報を読み出して、ＲＡＭ１０５に出力する。また、ドライブは、装着されている磁気ディスク、光ディスク、光磁気ディスク、または半導体メモリ等のリムーバブル記録媒体に記録を書き込むことも可能である。リムーバブル記録媒体は、例えば、ＤＶＤメディア、ＨＤ−ＤＶＤメディア、Ｂｌｕ−ｒａｙメディア、コンパクトフラッシュ（登録商標）（ＣｏｍｐａｃｔＦｌａｓｈ：ＣＦ）、メモリースティック、または、ＳＤメモリカード（Ｓｅｃｕｒｅ  Ｄｉｇｉｔａｌ  ｍｅｍｏｒｙ  ｃａｒｄ）等である。また、リムーバブル記録媒体は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【００４７】
以上説明した構成により、オーディオ信号送信装置１０は、多様なオーディオ信号出力源からオーディオ信号を取得し、外部機器通信部１２１を介して、オーディオ信号受信装置２０に対してオーディオ信号を送信することが可能になるとともに、オーディオ信号受信装置２０と双方向データ通信を行うことができる。
【００４８】
以上、本実施形態に係るオーディオ信号送信装置１０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【００４９】
＜オーディオ信号受信装置２０のハードウェア構成について＞
続いて、図３を参照しながら、本実施形態に係るオーディオ信号受信装置２０のハードウェア構成について、詳細に説明する。図３は、本実施形態に係るオーディオ信号受信装置２０のハードウェア構成を説明するためのブロック図である。
【００５０】
図３に示したように、本実施形態に係るオーディオ信号受信装置２０は、ＣＰＵ２０１と、ＲＯＭ２０３と、ＲＡＭ２０５と、ＥＥＰＲＯＭ２０７と、入力インターフェース（Ｉ／Ｆ）２０９と、表示インターフェース（Ｉ／Ｆ）２１３と、外部機器通信部２２１と、を備える。
【００５１】
また、外部機器通信部２２１には、受信したオーディオ信号を出力するオーディオ信号出力部２２３が接続される。
【００５２】
ＣＰＵ２０１は、演算処理装置および制御装置として機能し、ＲＯＭ２０３、ＲＡＭ２０５、ＥＥＰＲＯＭ２０７等に記録された各種プログラムに従って、オーディオ信号受信装置２０内の動作全般またはその一部を制御する。ＲＯＭ２０３およびＥＥＰＲＯＭ２０７は、ＣＰＵ２０１が使用するプログラムや演算パラメータ等を記憶する。ＲＡＭ２０５は、ＣＰＵ２０１の実行において使用するプログラムや、その実行において適宜変化するパラメータ等を一次記憶する。これらはＣＰＵバス等の内部バスにより構成されるホストバスおよびＰＣＩバスなどの外部バスから構成されるシステムバス２１７により、相互に接続されている。
【００５３】
入力インターフェース２０９は、キー操作部２１１を用いてユーザにより入力された情報に基づいて入力信号を生成し、ＣＰＵ２０１に出力する入力制御回路などから構成されているインターフェースである。オーディオ信号受信装置２０のユーザは、以下で説明するキー操作部２１１を操作することにより、オーディオ信号受信装置２０に対して各種のデータを入力したり処理動作を指示したりすることができる。
【００５４】
キー操作部２１１は、オーディオ信号受信装置２０に対して各種のデータを入力したり処理動作を指示したりする操作部である。キー操作部２１１は、例えば、マウス、キーボード、タッチパネル、ボタン、スイッチおよびレバーなどユーザが操作する操作手段である。また、キー操作部２１１は、例えば、赤外線やその他の電波を利用したリモートコントロール手段（いわゆる、リモコン）であってもよいし、オーディオ信号受信装置２０の操作に対応した携帯電話やＰＤＡ等の外部接続機器であってもよい。
【００５５】
表示インターフェース２１３は、ＣＰＵ２０１から出力された出力信号を、後述する表示部２１５へと伝送するためのインターフェースである。表示部２１５は、例えば、ＣＲＴディスプレイ装置、液晶ディスプレイ装置、プラズマディスプレイ装置、ＥＬディスプレイ装置およびランプなどの表示装置など、各種情報をユーザに対して視覚的に通知することが可能な装置で構成される。
【００５６】
外部機器通信部２２１は、例えば、オーディオ信号送信装置１０や、各種のオーディオ信号出力装置等と通信するための通信デバイス等で構成された通信インターフェースである。この外部機器通信部２２１は、一般的なワイヤレスオーディオ伝送規格に則ったインターフェースであってもよく、特定のワイヤレスオーディオ伝送規格に則ったインターフェースであってもよい。本実施形態に係るオーディオ信号受信装置２０は、この外部機器通信部２２１を介して、オーディオ信号送信装置１０からオーディオ信号を受信するとともに、オーディオ信号送信装置１０と双方向データ通信を行う。
【００５７】
オーディオ信号出力部２２３は、オーディオ信号送信装置１０から送信されたオーディオ信号を出力する処理部である。オーディオ信号出力部２２３は、図３に示したように、例えば、ＤＡ変換部２２５と、増幅部２２７と、スピーカー２２９と、から構成される。
【００５８】
ＤＡ変換部２２５は、受信したオーディオ信号をデジタル信号からアナログ信号へと変換する。アナログ信号に変換されたオーディオ信号は、増幅部２２７により増幅され、スピーカー２２９から出力される。
【００５９】
また、本実施形態に係るオーディオ信号受信装置２０は、本実施形態に係るオーディオ信号送信装置１０が備えるＤＳＰやオーディオ信号入力部を備えていてもよい。更に、オーディオ信号受信装置２０は、上記構成の他に、例えば、ストレージ装置（図示せず。）や、ドライブ（図示せず。）等を備えていてもよい。
【００６０】
ストレージ装置は、本実施形態にかかるオーディオ信号受信装置２０の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置は、ＣＰＵ２０１が実行するプログラムや各種データ、および外部から取得したオーディオ信号などを格納することが可能である。
【００６１】
ドライブは、記憶媒体用リーダライタであり、オーディオ信号受信装置２０に内蔵、あるいは外付けされる。ドライブは、装着されている磁気ディスク、光ディスク、光磁気ディスク、または半導体メモリ等のリムーバブル記録媒体に記録されている情報を読み出して、ＲＡＭ２０５に出力する。また、ドライブは、装着されている磁気ディスク、光ディスク、光磁気ディスク、または半導体メモリ等のリムーバブル記録媒体に記録を書き込むことも可能である。リムーバブル記録媒体は、例えば、ＤＶＤメディア、ＨＤ−ＤＶＤメディア、Ｂｌｕ−ｒａｙメディア、コンパクトフラッシュ（登録商標）、メモリースティック、または、ＳＤメモリカード等である。また、リムーバブル記録媒体は、例えば、非接触型ＩＣチップを搭載したＩＣカードまたは電子機器等であってもよい。
【００６２】
以上説明した構成により、オーディオ信号受信装置２０は、外部機器通信部２２１を介して、オーディオ信号送信装置１０からオーディオ信号を取得することが可能になるとともに、オーディオ信号送信装置１０と双方向データ通信を行うことができる。
【００６３】
以上、本実施形態に係るオーディオ信号受信装置２０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【００６４】
＜オーディオ信号送信装置１０の構成について＞
続いて、図４を参照しながら、本実施形態に係るオーディオ信号送信装置１０の構成について、詳細に説明する。図４は、本実施形態に係るオーディオ信号送信装置１０の構成について説明するためのブロック図である。
【００６５】
本実施形態に係るオーディオ信号送信装置１０は、図４に示したように、例えば、機器接続制御部１５１と、受信装置稼働状況確認部１５７と、受信装置送信情報取得部１５９と、接続管理情報送信部１６１と、送信オーディオ信号取得部１６３と、オーディオ信号送信部１６５と、記憶部１６７と、外部機器接続端子制御部１６９と、を主に備える。
【００６６】
機器接続制御部１５１は、例えば、ＣＰＵ、ＲＯＭ、ＲＡＭ、ＥＥＰＲＯＭ等から構成され、オーディオ信号送信装置１０に接続されているオーディオ信号受信装置２０等の外部接続機器の接続制御を行う。機器接続制御部１５１は、オーディオ信号受信装置２０等の外部接続機器から送信された接続確立要求を受信すると、接続の可否を判断し、接続を確立してもよいと判断した場合には、外部接続機器との接続を確立する。また、機器接続制御部１５１は、オーディオ信号受信装置２０等の外部接続機器から送信された接続解除要求を受信すると、そのオーディオ信号受信装置２０との接続を解消する。
【００６７】
具体的には、機器接続制御部１５１は、オーディオ信号送信装置１０に接続可能な外部接続機器（例えば、本実施形態に係るオーディオ信号受信装置２０や、オーディオ信号送信装置１０及び／又はオーディオ信号受信装置２０に接続されているヘッドホン等の外部接続機器等）の有無や稼動状態に応じて、外部接続機器の接続を制御する。かかる制御を行うために、機器接続制御部１５１は、例えば、機器接続状況管理部１５３と、チャンネルマッピング（以下、ＣＨマッピングとも称する。）情報生成部１５５と、を更に備える。
【００６８】
機器接続状況管理部１５３は、例えば、ＣＰＵ、ＲＯＭ、ＲＡＭ、ＥＥＰＲＯＭ等から構成され、オーディオ信号送信装置１０に接続可能な外部接続機器の接続状況を管理する。具体的には、機器接続状況管理部１５３は、後述する受信装置稼働状況確認部１５７から伝送される受信装置の稼働状況に関する稼働状況情報に基づいて、オーディオ信号送信装置１０に接続可能な外部接続機器の台数や稼働状況を把握し、接続管理を行う。また、機器接続状況管理部１５３は、後述する受信装置送信情報取得部１５９から、オーディオ信号受信装置２０がオーディオ信号送信装置１０に対して送信してきた各種情報に関する内容を通知されると、通知された内容に応じて、オーディオ信号受信装置２０の接続状況を変更する。なお、オーディオ信号受信装置２０の接続状況を変更するためには、機器接続状況管理部１５３は、後述するＣＨマッピング情報生成部１５５に対して、新たなＣＨマッピング情報の生成を要求する。このように、本実施形態に係る機器接続状況管理部１５３は、オーディオ信号送信装置１０に接続可能な各種の外部接続機器の有無や稼働状況を、一括して管理する管理部である。
【００６９】
機器接続状況管理部１５３は、受信装置稼働状況確認部１５７から伝送される受信装置の稼働状況に関する情報や、受信装置送信情報取得部１５９から伝送される受信装置送信情報の内容を、例えば記憶部１６７に格納されている各種のデータベース等を参照しながら検討する。その結果、オーディオ信号送信装置１０に接続している外部接続機器の台数が更新されたり、接続している外部接続機器の稼動状態が変更されたりしている場合には、現在利用されているＣＨマッピング情報の変更が必要であると判定する。そして、機器接続状況管理部１５３は、後述するＣＨマッピング情報生成部１５５に対して、新たなＣＨマッピング情報の生成（すなわち、現在利用されているＣＨマッピング情報の更新）を行うように要求する。
【００７０】
ここで、上記「チャンネルマッピング情報」とは、複数のチャンネルそれぞれで送信しているオーディオ信号の種別を表す情報の集合である。オーディオ信号の種別は、例えば、ＤＶＤから取得したオーディオ信号のダウンミックス成分や、デジタル入力に接続された機器から取得したオーディオ信号等のように、メイン音声を表すものや、サブウーファー用、サラウンドリアスピーカー用またはサラウンドバックスピーカー用のサブ音声等のように、サラウンド音声であることを表すもの等が存在する。チャンネルマッピング情報（ＣＨマッピング情報）については、以下で改めて詳細に説明する。
【００７１】
ＣＨマッピング情報生成部１５５は、例えば、ＣＰＵ、ＲＯＭ、ＲＡＭ、ＥＥＰＲＯＭ等から構成され、機器接続状況管理部１５３からの要求に応じて、新たなＣＨマッピング情報の生成を行う。新たなＣＨマッピング情報の生成に際して、ＣＨマッピング情報生成部１５５は、例えば記憶部１６７に格納されている各種のデータベースや、機器接続状況管理部１５３から伝送される様々な情報等を参照しながら、外部接続機器であるオーディオ信号受信装置２０の接続状況の変化や、オーディオ信号受信装置２０からの様々な要求を反映するように、ＣＨマッピング情報を動的に生成する。生成された新たなＣＨマッピング情報は、後述する接続管理情報送信部１６１およびオーディオ信号送信部１６５へと出力される。また、新たに生成されたＣＨマッピング情報は、記憶部１６７に記録されてもよい。
【００７２】
外部機器接続状況確認部の一例である受信装置稼働状況確認部１５７は、例えば、ＣＰＵ、ＲＯＭ、ＲＡＭ、ＥＥＰＲＯＭ、外部機器通信部等から構成され、オーディオ信号送信装置１０に接続可能なオーディオ信号受信装置２０の有無や稼動状態を確認する。具体的には、受信装置稼働状況確認部１５７は、所定の時間間隔ごと（例えば、１分ごと）に、オーディオ信号受信装置２０の稼動状態を確認する稼動状態確認信号をすべてのオーディオ信号受信装置２０に対して送信し、どのオーディオ信号受信装置２０から返信があるかを確認する。受信装置稼動状況確認部１５７は、返信のあったオーディオ信号受信装置２０を稼動状態にあると判断し、結果を機器接続状況管理部１５３に対して出力する。
【００７３】
外部機器送信情報取得部の一例である受信装置送信情報取得部１５９は、例えば、ＣＰＵ、ＲＯＭ、ＲＡＭ、ＥＥＰＲＯＭ、外部機器通信部等から構成され、オーディオ信号受信装置２０から送信された受信装置送信情報を取得する。受信装置送信情報取得部１５９が取得する受信装置送信情報は、例えば、オーディオ信号受信装置２０の接続確立要求や、オーディオ信号受信装置２０の接続解除要求や、オーディオ信号送信装置１０から送信されているオーディオ信号の種別変更を希望する要求等がある。受信装置送信情報取得部１５９は、取得したこれらの受信装置送信情報を、機器接続状況管理部１５３へと出力する。
【００７４】
接続管理情報送信部１６１は、例えば、ＣＰＵ、ＲＯＭ、ＲＡＭ、ＥＥＰＲＯＭ、外部機器通信部等から構成され、ＣＨマッピング情報生成部１５５により生成されたＣＨマッピング情報や、機器接続制御部１５１が発行する接続確立や接続解除といったオーディオ信号送信装置１０との接続状態を表す情報を含む接続管理情報を、オーディオ信号受信装置２０等の外部接続機器へと送信する。ここで、接続管理情報とは、上述のようにオーディオ信号送信装置１０から送信されるオーディオ信号の受信や、オーディオ信号送信装置１０から通知される接続確立や接続解除等の、オーディオ信号送信装置１０との接続に関係する情報を意味する。接続管理情報の送信は、接続が確立されているか否かを問わずすべての外部接続機器に対して行ってもよく、接続管理情報の送信要求を通知してきた外部接続機器に対してのみ、送信を行ってもよい。また、ＣＨマッピング情報の送信に関して、接続管理情報送信部１６１は、ＣＨマッピング情報生成部１５５が生成したＣＨマッピング情報を、ＣＨマッピング情報生成部１５５からの伝送があった際に自主的に送信してもよく、外部接続機器とのデータ通信が発生した際に、新たなＣＨマッピング情報をあわせて送信してもよい。
【００７５】
送信オーディオ信号取得部１６３は、例えば、ＣＰＵ、ＲＯＭ、ＲＡＭ、ＥＥＰＲＯＭ、外部機器通信部等から構成され、オーディオ信号出力装置１２から出力されるオーディオ信号を取得して、オーディオ信号受信装置２０へと送信するオーディオ信号とする。また、送信オーディオ信号取得部１６３は、記憶部１６７にオーディオ信号が記録されている場合には、記録部１６７からオーディオ信号を取得することも可能である。送信オーディオ信号取得部１６３が取得したオーディオ信号は、後述するオーディオ信号送信部１６５へと伝送される。また、送信オーディオ信号取得部１６３が取得したオーディオ信号は、記憶部１６７に保存されてもよい。
【００７６】
オーディオ信号送信部１６５は、例えば、ＣＰＵ、ＲＯＭ、ＲＡＭ、ＥＥＰＲＯＭ、ＤＳＵ、外部機器通信部等から構成され、ＣＨマッピング情報生成部１５５から伝送されたＣＨマッピング情報に基づいて、オーディオ信号を各チャンネルに分配し、オーディオ信号受信装置２０へと送信する。また、ＣＨマッピング情報に記載されている各チャンネルにおけるオーディオ信号の種別（オーディオ信号の属性）に適応させるために、送信予定のオーディオ信号に対して変換を行う必要がある場合には、オーディオ信号送信部１６５は、送信予定のオーディオ信号に対して所定の変換処理を施し、変換後のオーディオ信号を送信する。ここで、上記の変換処理とは、例えば、変換前のオーディオ信号が、５．１チャンネルに対応したオーディオ信号であった場合に、通常の２チャンネルのオーディオ信号へとダウンミックスする場合等が考えられる。
【００７７】
記憶部１６７は、例えば、ＣＨマッピング情報を構成するオーディオ信号の種別等が記録されているデータベースや、オーディオ信号受信装置２０に対して送信しうる各種送信情報や、本実施形態に係るオーディオ信号送信装置１０が利用する各種プログラムや処理方法等が格納される。また、記憶部１６７には、オーディオ信号そのものが記録されてもよい。
【００７８】
さらに、記憶部１６７は、上記データベースやプログラム以外にも、オーディオ信号送信装置１０が、何らかの処理を行う際に保存する必要が生じた様々なパラメータや処理の途中経過等を、適宜記憶することが可能である。この記憶部１６７は、機器接続制御部１５１、機器接続状況管理部１５３、受信装置送信情報取得部１５９、接続管理情報送信部１６１、送信オーディオ信号取得部１６３、オーディオ信号送信部１６５、外部機器接続端子制御部１６９等のオーディオ信号送信装置１０を構成する各処理部が、自由に読み書きを行うことが可能である。
【００７９】
外部機器接続端子制御部１６９は、例えば、ＣＰＵ、ＲＯＭ、ＲＡＭ、ＥＥＰＲＯＭ等から構成され、オーディオ信号送信装置１０に設けられた外部機器接続端子に、外部機器が接続されたか否かを判断し、接続端子に外部機器が接続された場合には、外部機器が接続された旨を機器接続状況管理部１５３へと通知する。ここで、接続端子に接続される外部機器は、後述するようなオーディオ信号受信装置２０であってもよく、例えばヘッドホンやイヤホンのようなオーディオ信号取得装置であってもよい。
【００８０】
なお、本実施形態に係るオーディオ信号送信装置１０では、外部接続機器へのオーディオ信号の送信や、外部接続機器との双方向通信は、無線伝送により行われてもよく、有線伝送により行われてもよいが、無線伝送により行われることが好ましい。
【００８１】
以上、本実施形態に係るオーディオ信号送信装置１０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【００８２】
＜チャンネルマッピング情報について＞
次に、図５Ａおよび図５Ｂを参照しながら、本実施形態に係るオーディオ信号送信装置１０が生成するチャンネルマッピング情報について、詳細に説明する。図５Ａおよび図５Ｂは、本実施形態に係るチャンネルマッピング情報の一例を説明するための説明図である。
【００８３】
本実施形態に係るオーディオ信号送信装置１０が生成するＣＨマッピング情報は、少なくとも２以上のステレオ信号（換言すれば、少なくとも４チャンネルのモノラル信号）を送信可能となるような複数のチャンネル（ＣＨ）それぞれについて、各チャンネルに割り当てられるオーディオ信号の種別を表した情報の集合として規定される。
【００８４】
図５Ａおよび図５Ｂでは、４つのステレオ信号（換言すれば、８チャンネルのモノラル信号）を送信可能なチャンネルに対して割り当てられたＣＨマッピング情報の例を示している。図５Ａおよび図５Ｂでは、図から明らかなように、１つのチャンネルに対して２つのモノラル信号に対応可能な枠が設けられており、合計８種類のオーディオ信号の種別が規定されている。
【００８５】
本実施形態に係るオーディオ信号送信装置１０では、図５Ａに示すようなＣＨマッピング情報と、図５Ｂに示すようなＣＨマッピング情報の２種類のＣＨマッピング情報を生成することが可能である。
【００８６】
図５Ａに示したＣＨマッピング情報は、チャンネル１に対して１組のメインチャンネルが設定されており、チャンネル２〜チャンネル４には、メインチャンネルに付随するサブチャンネルが設定されている。ここで、メインチャンネルとは、例えばＤＶＤの主音声に対応するようなオーディオ信号のソースに対応するものであり、サブチャンネルとは、例えばＤＶＤのサラウンド音声のように、メインチャンネルに付随するオーディオ信号を意味する。
【００８７】
図５Ａに示した各サブチャンネルには、例えば、サブウーファー用のオーディオ信号や、センタースピーカー用のオーディオ信号や、サラウンドリアスピーカー用のオーディオ信号や、サラウンドバックスピーカー用のオーディオ信号やなど、様々なサブチャンネルが割当可能である。
【００８８】
図５Ａに示したように、メインチャンネルが割り当てられているチャンネルと、サブチャンネルが割り当てられているチャンネルとが混在するＣＨマッピング情報を、以下では「サラウンドモード」のＣＨマッピング情報と呼ぶ。
【００８９】
他方、図５Ｂに示したＣＨマッピング情報は、４つのチャンネルそれぞれにメインチャンネルが割り当てられており、サブチャンネルが割り当てられているチャンネルは存在しない。これは、例えば、チャンネル１にはＣＤ音源が、チャンネル２にはＤＶＤ音源が、チャンネル３にはチューナーの音源が、チャンネル４にはデジタル入力の音源がそれぞれ割り当てられているような場合に相当する。
【００９０】
図５Ｂに示したように、複数のチャンネルそれぞれにメインチャンネルが割り当てられているＣＨマッピング情報を、以下では「マルチソースモード」のＣＨマッピング情報と呼ぶ。
【００９１】
オーディオ信号送信装置１０が上記のサラウンドモードとマルチソースモードのＣＨマッピング情報のどちらを生成可能であるかは、オーディオ信号送信装置１０に依存する。従って、サラウンドモード専用のオーディオ信号送信装置１０が存在してもよく、マルチソースモード専用のオーディオ信号送信装置１０が存在してもよく、両方のモードに対応可能なオーディオ信号送信装置１０が存在してもよい。
【００９２】
本実施形態に係るオーディオ信号受信装置２０は、ＣＨマッピング情報のいずれかのチャンネルに、オーディオ信号受信装置に割り振られている識別種別と一致するものが存在する場合に、一致するチャンネルに割り当てられたオーディオ信号を出力することが可能となる。
【００９３】
すなわち、オーディオ信号受信装置２０に割り振られている識別種別が「サラウンドリアスピーカー」である場合には、オーディオ信号受信装置２０は、ＣＨマッピング情報に「サラウンドリアスピーカー」という種別が記載されているオーディオ信号を出力することが可能となる。
【００９４】
＜オーディオ信号受信装置２０の構成について＞
続いて、図６を参照しながら、本実施形態に係るオーディオ信号受信装置２０の構成について、詳細に説明する。図６は、本実施形態に係るオーディオ信号受信装置２０の構成について説明するためのブロック図である。
【００９５】
本実施形態に係るオーディオ信号受信装置２０は、例えば、図６に示したように、接続情報送信部２５１と、接続管理情報受信部２５３と、オーディオ信号受信部２５５と、信号出力可否判定部２５７と、オーディオ信号出力制御部２５９と、外部機器接続端子制御部２６１と、記憶部２６３と、入力部２６５と、取得希望信号通知部２６７と、を主に備える。
【００９６】
接続情報送信部２５１は、例えば、ＣＰＵ、ＲＯＭ、ＲＡＭ、ＥＥＰＲＯＭ、外部機器通信部等から構成され、オーディオ信号受信装置２０とオーディオ信号送信装置１０との接続状態を変更するための接続情報を、オーディオ信号送信装置１０に対して送信する。ここで、接続状態を変更するための接続情報として、例えば、オーディオ信号送信装置１０に対するオーディオ信号受信装置２０の接続確立要求や、オーディオ信号送信装置１０に対するオーディオ信号受信装置２０の接続解除要求や、オーディオ信号受信装置２０の電源のＯＮ／ＯＦＦ状態を通知する情報等を挙げることができる。
【００９７】
また、接続情報送信部２５１は、上記接続情報をオーディオ信号送信装置１０に送信する際に、オーディオ信号受信装置２０を特定する識別子等をあわせて送信してもよい。
【００９８】
接続管理情報受信部２５３は、例えば、ＣＰＵ、ＲＯＭ、ＲＡＭ、ＥＥＰＲＯＭ、外部機器通信部等から構成され、オーディオ信号送信装置１０から送信されたＣＨマッピング情報や、オーディオ信号送信装置１０の種別に関する情報や、オーディオ信号送信装置１０から通知される接続確立通知や接続解除通知等を受信する。受信した接続管理情報は、後述する信号出力可否判定部２５７へと伝送される。また、接続管理情報受信部２５３は、受信した接続管理情報を、記憶部２６１に記録してもよい。
【００９９】
オーディオ信号受信部２５５は、例えば、ＣＰＵ、ＲＯＭ、ＲＡＭ、ＥＥＰＲＯＭ、外部機器通信部等から構成され、オーディオ信号送信装置１０から送信されるオーディオ信号を受信する。オーディオ信号受信部２５５は、受信したオーディオ信号を、後述する信号出力可否判定部２５７へと出力する。また、オーディオ信号受信部２５５は、受信したオーディオ信号を、記憶部２６１に記録してもよい。
【０１００】
信号出力可否判定部２５７は、例えば、ＣＰＵ、ＲＯＭ、ＲＡＭ、ＥＥＰＲＯＭ等から構成され、接続管理情報受信部２５３が受信したＣＨマッピング情報に基づいて、オーディオ信号受信部２５５が受信した複数のチャンネルからなるオーディオ信号の中に、オーディオ信号受信装置２０自身で出力可能な信号が存在するかどうかを判定する。判定に際しては、信号出力可否判定部２５７は、記憶部２６１等に記憶されているオーディオ信号受信装置２０自身の識別情報等を利用してもよい。
【０１０１】
判定の結果、出力可能なオーディオ信号が存在する場合には、信号出力可否判定部２５７は、出力可能なオーディオ信号を、後述するオーディオ信号出力制御部２５９に送信する。
【０１０２】
オーディオ信号出力制御部２５９は、例えば、ＣＰＵ、ＲＯＭ、ＲＡＭ、ＥＥＰＲＯＭ等から構成され、本実施形態に係るオーディオ信号受信装置２０に設けられているオーディオ信号出力部の出力制御を行う。
【０１０３】
記憶部２６１は、例えば、ＣＨマッピング情報を構成するオーディオ信号の種別等が記録されているデータベースや、オーディオ信号送信装置１０に対して送信しうる各種送信情報や、本実施形態に係るオーディオ信号受信装置２０が利用する各種プログラムや処理方法等が格納される。
【０１０４】
さらに、記憶部２６１は、上記データベースやプログラム以外にも、オーディオ信号受信装置２０が、何らかの処理を行う際に保存する必要が生じた様々なパラメータや処理の途中経過等を、適宜記憶することが可能である。この記憶部２６１は、接続情報送信部２５１、接続管理情報受信部２５３、オーディオ信号受信部２５５、信号出力可否判定部２５７、オーディオ信号出力制御部２５９、取得希望信号通知部２６７等のオーディオ信号受信装置２０を構成する各処理部が、自由に読み書きを行うことが可能である。
【０１０５】
外部機器接続制御部２６３は、例えば、ＣＰＵ、ＲＯＭ、ＲＡＭ、ＥＥＰＲＯＭ等から構成され、オーディオ信号受信装置２０に対して、更に外部接続機器が接続されたか否かを判断する。ここで、オーディオ信号受信装置２０に接続される外部接続機器は、オーディオ信号受信装置２０に設けられた外部機器接続端子に直接接続されてもよく、無線等を介してオーディオ信号受信装置２０にワイヤレス接続されてもよい。また、オーディオ信号受信装置２０に接続される外部接続機器は、別のオーディオ信号受信装置２０であってもよく、例えばヘッドホンやイヤホンのようなオーディオ信号取得装置であってもよい。
【０１０６】
オーディオ信号受信装置２０に新たに外部接続機器が接続された場合には、外部機器接続制御部２６３は、新たに外部機器が接続された旨を接続情報送信部２５１へと通知し、接続情報送信部２５１は、外部接続機器が更に接続された旨をオーディオ信号送信装置１０に送信する。
【０１０７】
入力部２６５は、例えば、ＣＰＵ、ＲＯＭ、ＲＡＭ、ＥＥＰＲＯＭ、キー操作部等から構成され、ユーザがオーディオ信号受信装置２０のキー操作部等に対して行った操作を入力信号に変換して、後述する取得希望信号通知部へと通知する。ユーザがオーディオ信号受信装置２０に行う操作としては、例えば、オーディオ信号受信装置２０が出力しているオーディオ信号を変更する操作（例えば、オーディオ信号送信装置１０が送信しているＣＤ出力から、ＤＶＤ出力へと変更する操作等）を挙げることができる。
【０１０８】
取得希望信号通知部２６７は、例えば、ＣＰＵ、ＲＯＭ、ＲＡＭ、ＥＥＰＲＯＭ、外部機器通信部等から構成され、入力部２６５から伝送されたユーザ操作に関する情報を、オーディオ信号送信装置１０に対して通知する。かかる情報をオーディオ信号送信装置１０へ通知することで、ユーザは、オーディオ信号受信装置２０から出力されるオーディオ信号を変更することが可能となる。
【０１０９】
なお、本実施形態に係るオーディオ信号受信装置２０では、オーディオ信号送信装置１０から送信されるオーディオ信号の受信や、オーディオ信号送信装置１０との双方向通信は、無線伝送により行われてもよく、有線伝送により行われてもよいが、無線伝送により行われることが好ましい。
【０１１０】
以上、本実施形態に係るオーディオ信号受信装置２０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【０１１１】
＜オーディオ信号受信装置の接続処理について＞
続いて、図７を参照しながら、オーディオ信号送信装置１０へのオーディオ信号受信装置２０の接続処理について、詳細に説明する。図７は、本実施形態に係るオーディオ信号受信装置の接続処理を説明するための流れ図である。
【０１１２】
まず、図７を参照しながら、オーディオ信号送信装置１０とオーディオ信号受信装置２０との間の接続処理について、詳細に説明する。
【０１１３】
オーディオ信号送信装置１０の電源がユーザによってＯＮに設定されると（ステップＳ１０１）、オーディオ信号送信装置１０は、自身に備えられているオーディオ信号出力部を介して音源の出力を開始する（ステップＳ１０３）。
【０１１４】
ある時点で、オーディオ信号受信装置２０の電源がユーザによってＯＮに設定されると（ステップＳ１０５）、オーディオ信号受信装置２０は、記憶部２６１等を参照しながら、接続情報送信部２５１を介して受信装置種別（例えば、オーディオ信号受信装置２０がサラウンドモードのＣＨマッピング情報を必要とする装置なのか、マルチソースモードのＣＨマッピング情報を必要とする装置なのか等）をオーディオ信号送信装置１０へ通知する（ステップＳ１０７）。
【０１１５】
オーディオ信号送信装置１０では、受信装置送信情報取得部１５９が、オーディオ信号受信装置２０からの受信装置種別通知を受信し、受信した内容を、機器接続状況管理部１５３へと伝送する。機器接続状況管理部１５３では、オーディオ信号受信装置２０がオーディオ信号送信装置１０に対して接続可能な装置であることを判断し、ＣＨマッピング情報生成部１５５では、新たなＣＨマッピング情報が生成される（ステップＳ１０９）。
【０１１６】
次に、オーディオ信号受信装置２０は、オーディオ信号送信装置１０に対して、オーディオ信号送信装置１０の種別（例えば、サラウンドモードのＣＨマッピング情報を許容する装置なのか、マルチソースモードのＣＨマッピング情報を許容する装置なのか等）と、オーディオ信号送信装置１０が現在使用しているＣＨマッピング情報の取得要求を通知する（ステップＳ１１１）。
【０１１７】
オーディオ信号送信装置１０の受信装置送信情報取得部１５９は、上記の取得要求を受信すると、接続管理情報送信部１６１が、送信装置１０の種別とＣＨマッピング情報とをオーディオ信号受信装置２０に送信する（ステップＳ１１３）。
【０１１８】
送信装置１０の種別およびＣＨマッピング情報を受信したオーディオ信号受信装置２０は、次に、オーディオ信号送信装置１０への接続確立要求と、再生を希望するチャンネルを、オーディオ信号送信装置１０へと通知する（ステップＳ１１５）。
【０１１９】
オーディオ信号受信装置２０からの接続確立要求を受信したオーディオ信号送信装置１０では、機器接続状況管理部１５３において接続が確立しているオーディオ信号受信装置２０の台数を更新し（ステップＳ１１７）、機器接続制御部１５１は、接続を許可する旨の通知（接続確立通知）をオーディオ信号受信装置２０に通知する（ステップＳ１１９）。
【０１２０】
オーディオ信号送信装置１０との接続が確立したオーディオ信号受信装置２０では、再生可能音源を選択して、オーディオ信号の再生を行う（ステップＳ１２１）。
【０１２１】
以上説明したような手順にて、オーディオ信号受信装置２０はオーディオ信号送信装置１０に接続される。本実施形態に係る接続処理では、オーディオ信号受信装置２０は、ユーザからの操作を待つことなく、電源の投入とともにオーディオ信号送信装置１０への接続処理を開始するため、オーディオ信号受信装置２０のユーザは、容易にオーディオ信号送信装置１０との接続を行うことが可能となる。
【０１２２】
＜オーディオ信号送信装置の接続確認処理について＞
次に、図８を参照しながら、オーディオ信号送信装置１０が実施するオーディオ信号受信装置２０の接続確認処理について、詳細に説明する。図８は、本実施形態に係るオーディオ信号送信装置１０が実施する接続確認処理を説明するための流れ図である。
【０１２３】
オーディオ信号送信装置１０は、上述のように、所定の間隔でオーディオ信号受信装置２０に対して接続確認を行い、オーディオ信号受信装置２０との接続を維持するか否かを判定する。以下では、この接続確認処理について、詳細に説明する。なお、以下の説明においては、オーディオ信号送信装置１０には、２台のオーディオ信号受信装置２０Ａ、２０Ｂがそれぞれ接続されているものとする。
【０１２４】
オーディオ信号送信装置１０の受信装置稼動状況確認部１５７は、接続しているオーディオ信号受信装置２０Ａ、２０Ｂに対して、その稼動状態を確認するための稼動状態確認信号を送信する（ステップＳ２０１）。稼動状態確認信号を受信したオーディオ信号受信装置では、受信した稼動状態確認信号に対する返信を行って、接続している旨を通知する（ステップＳ２０３、Ｓ２０５）。
【０１２５】
オーディオ信号送信装置１０では、オーディオ信号受信装置２０からの返信を受信すると、接続状況を維持する処理を行うため、機器接続状況管理部１５３では、接続状況の変更は行われず、ＣＨマッピング情報生成部１５５においても、新たなＣＨマッピング情報の生成も行われない。
【０１２６】
ここで、ある時点に、オーディオ信号受信装置２０Ｂに供給されている電源が遮断され（ステップＳ２０７）、オーディオ信号受信装置２０Ｂが電源ＯＦＦになってしまった場合を考える。
【０１２７】
オーディオ信号送信装置１０は、前回稼動状態確認信号を送信した時点（図８においては、ステップＳ２０１の時点）から所定の時間（例えば、１分程度）が経過すると、次の稼動状態確認信号を送信して、オーディオ信号受信装置２０Ａ、２０Ｂの接続確認を行う（ステップＳ２０９）。
【０１２８】
この場合、オーディオ信号受信装置２０Ａからは接続通知の返信がなされる（ステップＳ２１１）が、電源が遮断され電源ＯＦＦとなっているオーディオ信号受信装置２０Ｂからは返信がなされない。
【０１２９】
オーディオ信号送信装置１０では、前回の確認時に接続関係が維持されていたオーディオ信号受信装置２０Ｂからの返信がなかったことを受けて、オーディオ信号受信装置２０Ｂとの接続を解消し、機器接続状況管理部１５３は、接続状態にあるオーディオ信号受信装置の台数を更新する（ステップＳ２１３）。
【０１３０】
その後、オーディオ信号受信装置２０Ａのユーザにより正式な手続きを経て電源がＯＦＦにされると（ステップＳ２１５）、オーディオ信号受信装置２０Ａは、シャットダウン処理の一環として、オーディオ信号送信装置１０に対して接続情報送信部２５１から接続解除通知が送信され（ステップＳ２１７）、オーディオ信号受信装置２０Ａの電源がＯＦＦとなる。
【０１３１】
オーディオ信号送信装置１０では、オーディオ信号受信装置２０Ａからの接続解除通知を受けて、オーディオ信号受信装置２０Ａとの接続を解消し、機器接続状況管理部１５３は、接続状態にあるオーディオ信号受信装置の台数を更新する（ステップＳ２１９）。
【０１３２】
本実施形態に係るオーディオ信号伝送システム１では、かかる処理を所定の時間間隔ごとに自動で行っているため、オーディオ信号送信装置１０とオーディオ信号受信装置２０との接続の維持や接続解除を自動的に処理することが可能となる。
【０１３３】
＜チャンネルマッピング情報の変更について＞
続いて、図９Ａ〜図９Ｄを参照しながら、本実施形態に係るオーディオ信号伝送システム１におけるチャンネルマッピング情報の変更について、詳細に説明する。図９Ａ〜図９Ｄは、本実施形態に係るチャンネルマッピング情報の一例を説明するための説明図である。
【０１３４】
図９Ａに示したＣＨマッピング情報は、「サラウンドモード」におけるＣＨマッピング情報であり、このＣＨマッピング情報に基づいてオーディオ信号受信装置２０にオーディオ信号が送信されているものとする。
【０１３５】
この際、例えばオーディオ信号受信装置２０に有線または無線接続によりヘッドホンが接続されたとすると、オーディオ信号受信装置２０の外部機器接続制御部２６３は、ヘッドホンが接続された旨を接続情報送信部２５１に伝送する。この伝送を受けて、接続情報送信部２５１は、オーディオ信号送信装置１０に対して、オーディオ信号受信装置２０にヘッドホンが接続された旨を送信する。オーディオ信号受信装置１０では、ヘッドホンが接続されたことによりオーディオ信号受信装置２０のオーディオ信号出力状況が変化した旨を受けて、機器接続状況管理部１５３は接続状況を更新し、ＣＨマッピング情報生成部１５５は、図９Ｂに示したような新たなＣＨマッピング情報を生成する。
【０１３６】
図９Ｂでは、オーディオ信号受信装置２０であるサラウンドリアスピーカーにヘッドホンが装着された場合に新たに作成されるＣＨマッピング情報の一例である。図９Ａおよび図９Ｂを比較して明らかなように、図９Ａにおいてチャンネル２に割り当てられていた「サラウンドリア（Ｌ）」および「サラウンドリア（Ｒ）」が、図９Ｂではそれぞれ「サラウンドリアヘッドホン（Ｌ）」および「サラウンドリアヘッドホン（Ｒ）」に変更されている。このように、本実施形態に係るオーディオ信号伝送システム１においては、オーディオ信号受信装置２０に新たな外部接続機器が接続されると、オーディオ信号送信装置１０においてＣＨマッピング情報が自動的に変更される。
【０１３７】
次に、オーディオ信号受信装置２０のユーザが、入力部２６５を介して、出力されているオーディオ信号の変更を要求した場合を考える。この場合には、ユーザが行った操作が取得希望信号通知部２６７を介してオーディオ信号送信装置１０へと伝送され、オーディオ信号送信装置１０によって、図９Ｃに示したようにＣＨマッピング情報が変更されることとなる。
【０１３８】
この場合、図９Ａにおいてチャンネル１に割り当てられていた「メインチャンネル１（Ｌ）」および「メインチャンネル１（Ｒ）」が、図９Ｃに示したように、それぞれ「メインチャンネル２（Ｌ）」および「メインチャンネル２（Ｒ）」に変更されている。また、メインチャンネルの変更に伴い、チャンネル２およびチャンネル３に割り当てられているサブチャンネルも、メインチャンネル２を介して配信されるオーディオ信号のサブチャンネルとなる。
【０１３９】
また、オーディオ信号受信装置２０のユーザが、オーディオ信号送信装置１０の種別を「サラウンドモード」から「マルチソースモード」へ変更するように要求した場合を考える。この場合も、ユーザの要求は入力部２６５および取得希望信号通知部２６７を介して、オーディオ信号送信装置１０へと通知される。その結果、オーディオ信号送信装置１０が「マルチソースモード」に対応している場合には、図９Ｄに示したようにＣＨマッピング情報が変更されることとなる。
【０１４０】
この場合、図９Ａにおいてチャンネル２に割り当てられていた「サラウンドリア（Ｌ）」および「サラウンドリア（Ｒ）」、ならびに、チャンネル３に割り当てられていた「サラウンドバック（Ｌ）」および「サラウンドバック（Ｒ）」は、それぞれ「メインチャンネル２（Ｌ）」および「メインチャンネル２（Ｒ）」、ならびに、「メインチャンネル３（Ｌ）」および「メインチャンネル３（Ｒ）」に変更されている。
【０１４１】
また、上述の場合以外にも、例えば、接続されているオーディオ信号受信装置２０の種別が変更になった場合（例えば、オーディオ信号送信装置１０に接続されているオーディオ信号受信装置２０が、オーディオコンポからＤＶＤプレーヤーに変更となった場合等）にも、ＣＨマッピング情報が変更される。
【０１４２】
＜チャンネルマッピング情報の変更処理について＞
続いて、図１０を参照しながら、本実施形態に係るチャンネルマッピング情報の変更処理について、オーディオ信号受信装置２０にヘッドホンが装着された場合を例にとって、詳細に説明する。図１０は、本実施形態に係るオーディオ信号伝送システムにおけるチャンネルマッピング情報の変更処理の一例を説明するための流れ図である。
【０１４３】
オーディオ信号受信装置２０にヘッドホンが挿入されると（ステップＳ３０１）、オーディオ信号受信装置２０は、外部機器接続制御部２６３および接続情報送信部２５１を介して、オーディオ信号送信装置１０にヘッドホン挿入の通知を送信する（ステップＳ３０３）。
【０１４４】
オーディオ信号送信装置１０では、この通知を受信すると、オーディオ信号送信装置１０の外部への音声出力を停止するとともに（ステップＳ３０５）、ＣＨマッピング情報生成部１５５によって、ヘッドホン用音源を含むＣＨマッピングにＣＨマッピング情報を変更する（ステップＳ３０７）。続いて、オーディオ信号送信装置１０の機器接続状況管理部１５３は、ヘッドホンが挿入されたオーディオ信号受信装置２０の台数を更新し（ステップＳ３０９）、次に、オーディオ信号送信装置１０は、変更されたＣＨマッピング情報を、オーディオ信号送信装置１０に接続されているすべてのオーディオ信号受信装置２０に通知する（ステップＳ３１１）。
【０１４５】
オーディオ信号受信装置２０では、新たなＣＨマッピング情報を受信して、ＣＨマッピング情報の中からヘッドホン音源を選択し、接続されているヘッドホンから音声を出力することとなる（ステップＳ３１３）。
【０１４６】
続いて、図１１Ａ、図１１Ｂおよび図１２を参照しながら、本実施形態に係るＣＨマッピング情報の変更処理について、オーディオ信号受信装置２０にマイクが装着された場合を例にとって、詳細に説明する。図１１Ａおよび図１１Ｂは、本実施形態に係るＣＨマッピング情報の一例を説明するための説明図であり、図１２は、本実施形態に係るオーディオ信号伝送システムにおけるＣＨマッピング情報の変更処理の一例を説明するための流れ図である。
【０１４７】
図１１Ａ〜図１２に示した例は、例えば、オーディオ信号受信装置２０がオーディオ信号送信装置１０からオーディオ信号を受信して再生しているときに、オーディオ信号受信装置２０にマイクが接続された場合に該当する例である。
【０１４８】
オーディオ信号受信装置２０は、図１１Ａに示したようなＣＨマッピング情報に基づいてオーディオ信号を送信しているオーディオ信号送信装置１０から、チャンネル３に割り当てられたオーディオ信号を受信して、受信したオーディオ信号を再生している。
【０１４９】
この場合に、オーディオ信号受信装置２０にマイクが接続されると（ステップＳ４０１）、オーディオ信号受信装置２０の外部機器接続制御部２６３は、オーディオ信号受信装置２０にマイクが接続されたことを検知し、その旨を接続情報送信部２５１へと通知する。マイクの接続に関する通知を受信した接続情報送信部２５１は、オーディオ信号受信装置２０にマイクが新たに接続された旨を、オーディオ信号送信装置１０へと通知する（ステップＳ４０３）。
【０１５０】
オーディオ信号受信装置２０から送信された通知は、オーディオ信号送信装置１０の受信装置送信情報取得部１５９により受信され、受信された通知は、機器接続状況管理部１５３を介してＣＨマッピング情報生成部１５５に伝送される。ＣＨマッピング情報生成部１５５は、オーディオ信号受信装置２０が受信しているチャンネル（本例では、チャンネル３）のＣＨマッピング情報を、ボーカルなし（ＮＯＮ  ＶＯＣＡＬ）に動的に変更する（ステップＳ４０５）。この結果、図１１Ｂに示したような新たなＣＨマッピング情報が、ＣＨマッピング情報生成部１５５により生成されることとなる。また、機器接続状況管理部１５３は、マイクが挿入されたオーディオ信号受信装置２０の台数の更新を行う（ステップＳ４０７）。
【０１５１】
次に、オーディオ信号送信装置１０の接続管理情報送信部１６１は、図１１Ｂに示した新たなＣＨマッピング情報を、オーディオ信号受信装置２０に通知する（ステップＳ４０９）。ＣＨマッピング情報を受信したオーディオ信号受信装置２０は、ＮＯＮ  ＶＯＣＡＬに設定された音源（本例では、チャンネル３）を選択して、オーディオ信号を出力する（ステップＳ４１１）。
【０１５２】
かかる処理を行うことで、オーディオ信号受信装置２０でカラオケ等を行う場合に、オーディオ信号受信装置２０側では新たな操作を行うことなく、オーディオ信号受信装置２０から出力されるオーディオ信号を、ボーカルなしの音源に切り替えることが可能となる。
【０１５３】
続いて、図１３Ａ、図１３Ｂおよび図１４を参照しながら、本実施形態に係るＣＨマッピング情報の変更処理について、オーディオ信号受信装置２０のスピーカー配置が変更された場合を例にとって、詳細に説明する。図１３Ａおよび図１３Ｂは、本実施形態に係るＣＨマッピング情報の一例を説明するための説明図であり、図１４は、本実施形態に係るオーディオ信号伝送システムにおけるＣＨマッピング情報の変更処理の一例を説明するための流れ図である。
【０１５４】
図１３Ａ〜図１４に示した例は、例えば、オーディオ信号送信装置１０に対して、オーディオ信号受信装置２０として３種類のスピーカーが接続されており、接続されているスピーカーの配置（フォーメーション）を変更した場合に該当する例である。
【０１５５】
本例では、例えば、フロントスピーカー２０Ａ（ＦＲ）、サブウーファー２０Ｂ（ＳＷ）、サラウンドバックスピーカー２０Ｃ（ＳＢ）の３種類のスピーカーが、オーディオ信号受信装置としてオーディオ信号送信装置１０に接続されており、オーディオ信号送信装置１０によって生成されるＣＨマッピング情報が、図１３Ａに示したような内容となっている場合であるとする。
【０１５６】
ここで、オーディオ信号受信装置２０Ａ〜２０Ｃのユーザにより、各スピーカーの配置変更（フォーメーションの変更）が行われ、例えばフロントスピーカー２０Ａと、サラウンドバックスピーカー２０Ｃの配置変更が行われると（ステップＳ５０１）、それぞれのスピーカーからオーディオ信号送信装置１０に対して、スピーカー接続変更の通知が送信される（ステップＳ５０３、Ｓ５０５）。
【０１５７】
各スピーカーから送信された通知は、オーディオ信号送信装置１０の受信装置送信情報取得部１５９により受信され、受信された通知は、機器接続状況管理部１５３を介してＣＨマッピング情報生成部１５５に伝送される。ＣＨマッピング情報生成部１５５は、所定のルールに則りローテーション的に動的に変更する。例えば本例では、ＣＨマッピング情報生成部１５５は、フロントスピーカー２０Ａが受信していたチャンネルにて送信されていたオーディオ信号およびサラウンドバックスピーカー２０Ｃが受信していたチャンネルにて送信されていたオーディオ信号の送信チャンネルを入れ替え、例えば図１３Ｂに示したような新たなＣＨマッピング情報を生成する（ステップＳ５０７）。
【０１５８】
次に、オーディオ信号送信装置１０の接続管理情報送信部１６１は、図１３Ｂに示した新たなＣＨマッピング情報を、各オーディオ信号受信装置（スピーカー）２０Ａ〜２０Ｃに通知する（ステップＳ５０９）。ＣＨマッピング情報を受信した各オーディオ信号受信装置２０Ａ〜２０Ｃは、該当するチャンネルを選択して、オーディオ信号を出力する（ステップＳ５１１）。
【０１５９】
かかる処理を行うことで、オーディオ信号受信装置である各スピーカーのフォーメーションを変更する場合に、オーディオ信号受信装置側では新たな操作を行うことなく、オーディオ信号送信装置側の処理のみで、スピーカーのフォーメーション変更が可能となる。
【０１６０】
続いて、図１５Ａ、図１５Ｂおよび図１６を参照しながら、本実施形態に係るＣＨマッピング情報の変更処理について、あるオーディオ信号受信装置２０Ａでオーディオ信号のパーティ再生が指定された場合を例にとって、詳細に説明する。図１５Ａおよび図１５Ｂは、本実施形態に係るＣＨマッピング情報の一例を説明するための説明図であり、図１６は、本実施形態に係るオーディオ信号伝送システムにおけるＣＨマッピング情報の変更処理の一例を説明するための流れ図である。
【０１６１】
図１５Ａ〜図１６に示した例は、例えば、オーディオ信号送信装置１０に対して、４台のオーディオ信号受信装置２０Ａ〜２０Ｄが接続されており、あるオーディオ信号受信装置において、パーティ再生を実行する処理がなされた場合に該当する例である。本例では、オーディオ信号送信装置１０は、図１５Ａに示したようなＣＨマッピング情報を各オーディオ信号受信装置２０Ａ〜２０Ｄに対して通知しており、オーディオ信号受信装置１０に接続している各オーディオ信号受信装置２０は、ＣＨマッピング情報に基づき、それぞれ異なるチャンネルを受信して、該当するオーディオ信号を再生しているものとする。
【０１６２】
ここで、オーディオ信号受信装置２０Ａは、チャンネル（ＣＨ）１で送信されているオーディオ信号を受信し、オーディオ信号受信装置２０Ｂは、ＣＨ２で送信されているオーディオ信号を受信し、オーディオ信号受信装置２０Ｃは、ＣＨ３で送信されているオーディオ信号を受信し、オーディオ信号受信装置２０Ｄは、ＣＨ４で送信されているオーディオ信号を受信しているものとする。
【０１６３】
この際、例えばオーディオ信号受信装置２０Ａにおいて、パーティ再生を実行するためのボタン等が操作され、オーディオ信号受信装置２０Ａに入力部２６５を介してパーティ再生オンの入力がなされると（ステップＳ６０１）、オーディオ信号受信装置２０Ａは、オーディオ信号送信装置１０に対して、パーティ再生要求の通知を通知する（ステップＳ６０３）。
【０１６４】
オーディオ信号受信装置２０Ａから送信された通知は、オーディオ信号送信装置１０の受信装置送信情報取得部１５９により受信され、受信された通知は、機器接続状況管理部１５３を介してＣＨマッピング情報生成部１５５に伝送される。ＣＨマッピング情報生成部１５５は、オーディオ信号送信装置１０が管理しているすべてのＣＨの割り当てを、オーディオ信号受信装置２０Ａが受信しているＣＨに割り当てられているオーディオ信号に動的に切り替え（ステップＳ６０５）、例えば図１５Ｂに示したようなＣＨマッピング情報を生成する。
【０１６５】
次に、オーディオ信号送信装置１０の接続管理情報送信部１６１は、図１５Ｂに示した新たなＣＨマッピング情報を、各オーディオ信号受信装置２０Ａ〜２０Ｄに通知する（ステップＳ６０７）。ＣＨマッピング情報を受信した各オーディオ信号受信装置２０Ａ〜２０Ｄは、今まで受信していたチャンネルを選択して、オーディオ信号を出力する（ステップＳ６０９）。
【０１６６】
本例では、すべてのＣＨでは同一のオーディオ信号が送信されているため、オーディオ信号送信装置１０に接続されている全てのオーディオ信号受信装置２０Ａ〜２０Ｄは、同一のオーディオ信号を再生することとなる。このように、あるオーディオ信号受信装置２０でパーティ再生機能をオンとすることにより、他のオーディオ信号受信装置において新たな操作をすることなく、オーディオ信号送信装置１０側の処理のみでパーティ再生を実行することが可能となる。
【０１６７】
続いて、図１７Ａ、図１７Ｂおよび図１８を参照しながら、本実施形態に係るＣＨマッピング情報の変更処理について、オーディオ信号受信装置２０にモニタが接続された場合を例にとって、詳細に説明する。図１７Ａおよび図１７Ｂは、本実施形態に係るＣＨマッピング情報の一例を説明するための説明図であり、図１８は、本実施形態に係るオーディオ信号伝送システムにおけるＣＨマッピング情報の変更処理の一例を説明するための流れ図である。
【０１６８】
図１７Ａ〜図１８に示した例は、オーディオ信号送信装置１０がＤＶＤダウンミックスを配信しており、オーディオ信号受信装置２０がＤＶＤダウンミックスの音声信号のみを再生している場合に該当する例である。
【０１６９】
本例では、例えば図１７Ａに示したように、ＤＶＤダウンミックスの音声信号がチャンネル１に割り当てられており、チャンネル２〜４には、何も信号が割り当てられていない場合について説明するが、かかる場合に限定されるわけではなく、チャンネル２〜４に他の信号が割り当てられていてもよい。
【０１７０】
オーディオ信号送信装置１０から通知されるＣＨマッピング情報に基づいてオーディオ信号を受信しているオーディオ信号受信装置２０に、ＤＶＤに記録されている動画成分を再生することが可能なモニタが接続されると（ステップＳ７０１）、オーディオ信号受信装置２０の外部機器接続制御部２６３は、モニタが接続されたことを検知し、その旨を接続情報送信部２５１に通知する。接続情報送信部２５１は、オーディオ信号受信装置２０に動画成分を再生可能なモニタが接続された旨を、オーディオ信号送信装置１０に対して通知する（ステップＳ７０３）。
【０１７１】
オーディオ信号受信装置２０から送信された通知は、オーディオ信号送信装置１０の受信装置送信情報取得部１５９により受信され、受信された通知は、機器接続状況管理部１５３を介してＣＨマッピング情報生成部１５５に伝送される。ＣＨマッピング情報生成部１５５は、現在のＣＨマッピングでは使用されていないチャンネルや、オーディオ信号受信装置２０が全く接続されていないチャンネルや、オーディオ信号受信装置２０の接続数が最も少ないチャンネル等に、ＤＶＤの動画成分を動的に割り当て（ステップＳ７０５）、例えば図１７Ｂに示すような新たなＣＨマッピング情報を生成する。
【０１７２】
次に、オーディオ信号送信装置１０の接続管理情報送信部１６１は、図１７Ｂに示した新たなＣＨマッピング情報を、オーディオ信号受信装置２０に通知する（ステップＳ７０７）。ＣＨマッピング情報を受信したオーディオ信号受信装置２０は、チャンネル１に割り当てられたオーディオ信号（ＤＶＤのダウンミックス）を受信するとともに、オーディオ信号受信装置２０に接続されたモニタは、チャンネル２に割り当てられている動画成分を受信して、それぞれの信号を再生する（ステップＳ７０９）。
【０１７３】
かかる処理を行うことで、オーディオ信号受信装置側では新たな操作を行うことなく、オーディオ信号送信装置側の処理のみで、モニタを接続して動画成分を再生することが可能となる。
【０１７４】
以上説明したように、本実施形態に係るオーディオ信号伝送システムにおいては、オーディオ信号送信装置とオーディオ信号受信装置との間で、ヘッドホン、マイク、モニタ等の外部機器の装着や、オーディオ信号受信装置自身の変更や、再生すべきオーディオソースが変更された場合等の所定のイベントを共有することで、送信装置と受信装置のいずれか一方を操作した場合であっても、操作されていない装置においても同様の処理結果を得ることができる。
【０１７５】
また、オーディオ信号受信装置は、オーディオ信号受信装置側で発生した所定のイベントに対応する処理をオーディオ信号送信装置側へ依頼することにより、オーディオ信号受信装置が行う処理を軽減することが可能となる。
【０１７６】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１７７】
例えば、上述した実施形態においては、チャンネル数がステレオ４チャンネルである場合について説明したが、チャンネル数の個数は上述の場合に限定されるわけではなく、４チャンネル以上であってもよい。設定可能なチャンネル数は、オーディオ信号送信装置やオーディオ信号受信装置に設けられるＣＰＵやＤＳＰの処理能力に依存するため、これらのプロセッサの処理能力に応じてチャンネル数を変化させることが可能である。
【図面の簡単な説明】
【０１７８】
【図１】本発明の第１の実施形態に係るオーディオ信号伝送システムを説明するための説明図である。
【図２】同実施形態に係るオーディオ信号送信装置のハードウェア構成を説明するためのブロック図である。
【図３】同実施形態に係るオーディオ信号受信装置のハードウェア構成を説明するためのブロック図である。
【図４】同実施形態に係るオーディオ信号送信装置の構成を説明するためのブロック図である。
【図５Ａ】同実施形態に係るチャンネルマッピング情報の一例を説明するための説明図である。
【図５Ｂ】同実施形態に係るチャンネルマッピング情報の一例を説明するための説明図である。
【図６】同実施形態に係るオーディオ信号受信装置の構成を説明するためのブロック図である。
【図７】同実施形態に係るオーディオ信号受信装置の接続処理を説明するための流れ図である。
【図８】同実施形態に係るオーディオ信号送信装置の接続確認処理を説明するための流れ図である。
【図９Ａ】同実施形態に係るチャンネルマッピング情報の一例を説明するための説明図である。
【図９Ｂ】同実施形態に係るチャンネルマッピング情報の一例を説明するための説明図である。
【図９Ｃ】同実施形態に係るチャンネルマッピング情報の一例を説明するための説明図である。
【図９Ｄ】同実施形態に係るチャンネルマッピング情報の一例を説明するための説明図である。
【図１０】同実施形態に係るオーディオ信号伝送システムにおけるチャンネルマッピング情報の変更処理の一例を説明するための流れ図である。
【図１１Ａ】同実施形態に係るチャンネルマッピング情報の一例を説明するための説明図である。
【図１１Ｂ】同実施形態に係るチャンネルマッピング情報の一例を説明するための説明図である。
【図１２】同実施形態に係るオーディオ信号伝送システムにおけるチャンネルマッピング情報の変更処理の一例を説明するための流れ図である。
【図１３Ａ】同実施形態に係るチャンネルマッピング情報の一例を説明するための説明図である。
【図１３Ｂ】同実施形態に係るチャンネルマッピング情報の一例を説明するための説明図である。
【図１４】同実施形態に係るオーディオ信号伝送システムにおけるチャンネルマッピング情報の変更処理の一例を説明するための流れ図である。
【図１５Ａ】同実施形態に係るチャンネルマッピング情報の一例を説明するための説明図である。
【図１５Ｂ】同実施形態に係るチャンネルマッピング情報の一例を説明するための説明図である。
【図１６】同実施形態に係るオーディオ信号伝送システムにおけるチャンネルマッピング情報の変更処理の一例を説明するための流れ図である。
【図１７Ａ】同実施形態に係るチャンネルマッピング情報の一例を説明するための説明図である。
【図１７Ｂ】同実施形態に係るチャンネルマッピング情報の一例を説明するための説明図である。
【図１８】同実施形態に係るオーディオ信号伝送システムにおけるチャンネルマッピング情報の変更処理の一例を説明するための流れ図である。
【符号の説明】
【０１７９】
１    オーディオ信号伝送システム
１０    オーディオ信号送信装置
１２    オーディオ信号出力装置
２０    オーディオ信号受信装置
１５１    機器接続制御部
１５３    機器接続状況管理部
１５５    チャンネルマッピング情報生成部
１５７    受信装置稼働状況確認部
１５９    受信装置送信情報取得部
１６１    接続管理情報送信部
１６３    送信オーディオ信号取得部
１６５    オーディオ信号送信部
１６７，２６１    記憶部
１６９    外部機器接続端子制御部
２５１    接続情報送信部
２５３    接続管理情報受信部
２５５    オーディオ信号受信部
２５７    信号出力可否判定部
２５９    オーディオ信号出力制御部
２６３    外部機器接続制御部
２６５    入力部
２６７    取得希望信号通知部
【図１】
2009077361.tif 000003
【図２】
2009077361.tif 000004
【図３】
2009077361.tif 000005
【図４】
2009077361.tif 000006
【図５Ａ】
2009077361.tif 000007
【図５Ｂ】
2009077361.tif 000008
【図６】
2009077361.tif 000009
【図７】
2009077361.tif 000010
【図８】
2009077361.tif 000011
【図９Ａ】
2009077361.tif 000012
【図９Ｂ】
2009077361.tif 000013
【図９Ｃ】
2009077361.tif 000014
【図９Ｄ】
2009077361.tif 000015
【図１０】
2009077361.tif 000016
【図１１Ａ】
2009077361.tif 000017
【図１１Ｂ】
2009077361.tif 000018
【図１２】
2009077361.tif 000019
【図１３Ａ】
2009077361.tif 000020
【図１３Ｂ】
2009077361.tif 000021
【図１４】
2009077361.tif 000022
【図１５Ａ】
2009077361.tif 000023
【図１５Ｂ】
2009077361.tif 000024
【図１６】
2009077361.tif 000025
【図１７Ａ】
2009077361.tif 000026
【図１７Ｂ】
2009077361.tif 000027
【図１８】
2009077361.tif 000028